(57)【要約】      （修正有）【課題】電気的な接続信頼性が高く、品位の高い操作感を得ることが可能な、回転操作部材を提供する。【解決手段】ベース部材１２０の略中心の穴部１２１に挿通される回転操作部材１００と、回転操作部材の一部を切り欠いて形成される凹部１０３と、凹部に収納されるボール部材１３０と、弾性部材１４０と、回転操作部材に取り付けられて、回転可能に支持され、凹部を塞ぐ蓋部材１５０と、蓋部材の外周に設けられ、ベース部材に当接することで、回転操作部材を引き込む複数の付勢部１５１と、ベース部材と対向する側に配置された、基板１９０と前記基板に設けられた、回転操作部材の回転位相を検知するパターン部１９１と、回転操作部材に取り付けられて、回転操作部材とともに、回転可能に支持され、パターン部に当接する、少なくともひとつの接片部１６１、１６２とを有し、前記複数の付勢部の付勢力は、前記接片部の付勢力よりも大きいことを特徴とする。【選択図】図４
2019192559.tif 000002
【特許請求の範囲】
【請求項１】
基体としての、ベース部材（１２０）と、
前記ベース部材の中心に円形で形成される、穴部（１２１）と、
前記穴部の内周に所定の角度間隔で形成され、クリック感を発生させるための、凹凸部（１２３）と、
前記穴部に挿通し、回転可能に支持される円柱形状の、回転操作部材（１００）と、
前記回転操作部材の一部を切り欠いて形成される、凹部（１０３）と
前記凹凸部に当接するように、前記凹部に収納されるボール部材（１３０）と、
前記凹凸部に前記ボール部材を付勢するように、前記凹部に収納される、弾性部材（１４０）と、
前記回転操作部材に取り付けられて、前記回転操作部材とともに、回転可能に支持され、前記凹部を塞ぐ、蓋部材（１５０）と、
前記蓋部材（１５０）の外周に設けられ、前記ベース部材に当接することで、前記回転操作部材を引き込む、複数の付勢部（１５１）と、
前記ベース部材と対向する側に配置された、基板（１９０）と
前記基板に設けられた、前記回転操作部材の回転位相を検知する、パターン部（１９１）と、
前記回転操作部材に取り付けられて、前記回転操作部材とともに、回転可能に支持され、前記パターン部に当接する、少なくともひとつの、接片部（１６０、１６１、１６２）とを有し、
前記複数の付勢部は、少なくとも、前記弾性部材と対角の位置に設けられた、第１の付勢部（１５１ｄ、１５１ｉ、１５１ｊ）と、前記接片部の近傍の位置に設けられた、第２の付勢部（１５１ａ、１５１ｃ、１５１ｅ、１５１ｈ）からなり、
前記複数の付勢部の付勢力は、前記接片部の付勢力よりも大きいことを特徴とする、回転操作部材ユニット（５０）。
【請求項２】
前記複数の付勢部は、前記接片部よりも外周に設けられていることを特徴とした、請求項１に記載の回転操作部材ユニット。
【請求項３】
前記複数の付勢部は、少なくとも、前記弾性部材と対角の位置に設けられた、第１の付勢部（１５１ｄ、１５１ｉ、１５１ｊ）と、前記接片部の近傍の位置に設けられた、第２の付勢部（１５１ａ、１５１ｃ、１５１ｅ、１５１ｈ）からなり、
前記第１の付勢部の付勢力は、前記第２の付勢部の付勢力よりも大きいことを特徴とする、請求項１または２に記載の回転操作部材ユニット。
【請求項４】
筐体グランドとしての、背面カバー（１１０）を有し、
前記ベース部材と、前記複数の付勢部と、前記接片部は導電性を有し、前記背面カバーに電気的に導通することを特徴とした、請求項１乃至３のいずれか１項に記載の回転操作部材ユニット。
【請求項５】
前記基板上に、防塵部材（２２０）を有し、
前記防塵部材は、前記接片部の外周側で、且つ、前記複数の付勢部の内周側に設けられていることを特徴とする、請求項１乃至４のいずれか１項に記載の回転操作部材ユニット。
【請求項６】
前記回転操作部材と前記蓋部材には、前記回転操作部材と前記蓋部材を仮固定する、仮保持部（１０８、１５８）を有することを特徴とする、請求項１乃至５のいずれか１項に記載の回転操作部材ユニット。
【請求項７】
前記凹部は前記弾性部材が前記回転操作部材を押す力の分力が前記回転操作部材を引き込む方向に、斜めに切り欠かれて形成されることを特徴とする、請求項１乃至６のいずれか１項に記載の回転操作部材ユニット。
【請求項８】
操作者によって操作可能な、複数の操作部材（１９）と、
前記背面カバーに取り付けられる、取り付け部材（２００）を有し、
前記取り付け部材は、剛性を有する部材で形成され、
前記基板は可撓性を有する部材で形成され、
前記基板には、前記複数の操作部材の操作信号を検知するパターン部（１９１）が配線され、
前記複数の操作部材に対応する形状で一体的に形成されることを特徴とする、請求項１乃至７のいずれか１項に記載の回転操作部材ユニット。
【発明の詳細な説明】
【技術分野】
【０００１】
本発明は、電子機器の操作部材に関し、特に回転操作部材の機構に関するものである。
【背景技術】
【０００２】
従来、カメラなどの電子機器の上面または背面には、撮影条件などの情報設定をおこなうための回転操作部材が配置されている。
【０００３】
従来例としてのカメラの構成を図６、図７を用いて説明する。
【０００４】
図６は従来のカメラの背面カバーユニットの一部の分解斜視図である。図７は従来のカメラの背面カバーユニット１０００における、選択ダイヤル１１００の中央横断面を模式的に示した図である。
【０００５】
図６および図７に示す従来のカメラの背面カバーユニット１０００には、撮影時や撮影画像の再生時に関わる種々の選択をするために、ユーザーが回転させて使用する、樹脂などの射出成形により円形に形成された、選択ダイヤル１１００が配置されている。選択ダイヤル１１００は、所定の径の大きさの円柱状に形成された軸部１１０１を有する。また、軸部１１０１と垂直な面で、軸部１１０１と連続し円周状に形成された、摺動面１１０２を有する。また、後述する、クリックバネ１３２０およびクリックボール１３３０を収納するための、収納部１１０３が軸部１１０１の一部を切り欠いた凹溝形状で形成されている。また、軸部１１０１の終端には、後述する受け板１３４０、ブラシ１３５０、押さえ板１３６０を取り付ける、取り付け部１１０４を有する。
【０００６】
１３００は樹脂などの射出成形により形成された、背面カバーであり、背面カバーユニット１０００を構成する複数の操作部材（不図示）などの構成部品が取り付け可能な構成になっている。１３１０は樹脂などの射出成形により形成された、ダイヤルベースで、背面カバー１０００にビス１４００により取り付けられる。ダイヤルベース１３１０の中央には、選択ダイヤル１１００の軸部１１０１に対応する位置に、穴部１３１１が設けられ、軸部１１０１が挿通される。
【０００７】
ここで、軸部１１０１の径よりも穴部１３１１の径のほうがわずかに大きい。これにより、ユーザーが選択ダイヤル１１００を回転操作する際に、スムーズに回転することを可能にしている。また、ダイヤルベース１３１０は、選択ダイヤル１１００の摺動面１１０２に対応する位置に、摺動凸部１３１２を有する。また、ダイヤルベース１３１０は、穴部１３１１と同軸上の円周方向に複数の凹凸形状が形成されるクリック形状１３１３を有する。さらに、ダイヤルベース１３１０は、穴部１３１１と垂直な面で、摺動凸部１３１２と対向する端に、受け面１３１４を有する。
【０００８】
クリックバネ１３２０はピアノ線などの弾性を有する材料で形成された、圧縮コイルバネなどで構成される。クリックボール１３３０は球体形状の金属などによって形成される。クリックバネ１３２０とクリックボール１３３０は、収納部１１０３に組み込まれた状態では、クリックボール１３３０がクリック形状１３１３に当接し、クリックバネ１３２０がクリックボール１３３０をクリック形状１３１３に付勢するように構成される。ユーザーが選択ダイヤル１１００を回転操作するときには、クリックボール１３３０がクリック形状１３１３の凹凸を乗り越えることで、クリック感が付与される。
【０００９】
１３４０は板状の金属などにより形成される、受け板である。１３５０は板状の金属などにより形成される、ブラシである。ブラシ１３５０の外周には、曲げ加工などにより形成される、複数の接片１３５１、１３５２を有する。接片１３５１、１３５２は弾性を有し、後述するフレキ１３８０のパターン部１３８１に所定の接触圧で当接している。１３６０は板状の金属などにより形成される、押さえ板である。受け板１３４０、ブラシ１３５０、押さえ板１３６０は、収納部１１０４に蓋をするように、取り付け部１１０４にビス１３７０により締結固定される。取り付け部１１０４に取り付けられた受け板１３４０、ブラシ１３５０、押さえ板１３６０によって、クリックバネ１３２０とクリックボール１３３０が収納部１１０４から脱落することを防止するように構成される。
【００１０】
また、摺動面１１０２と受け板１３４０でダイヤルベース１３１０を挟み込むように構成される。これにより、選択ダイヤル１１００が回転自在に構成される。さらに、摺動面１１０２と受け板１３４０によって形成される空間の厚み方向（図７のＺ方向）の大きさは、ダイヤルベース１３１０の厚み（摺動凸部１３１２と受け面１３１４によって形成される厚み）よりもわずかに大きい。これにより、ユーザーが選択ダイヤル１１００を回転操作する際に、スムーズに回転することを可能にしている。
【００１１】
１３８０は可撓性を有するフレキシブル基板である。フレキシブル基板１３８０は背面カバーユニット１０００を構成する選択ダイヤル１１００を含む、複数の操作部材（不図示）が操作されたときの操作信号を電気的に検知する、パターン部１３８１を含む配線パターン（不図示）を有する。パターン部１３８１はグランドパターンと少なくとも１つの信号パターンを有し、ブラシ１３５０の接片１３５１、１３５２がパターン部１３８１の上を所定の接触圧で回転摺動することで、位相を検知するように構成される。
【００１２】
１３９０は板状の金属などにより形成される、取り付け板で、フレキシブル基板１３８０が両面テープなどの接着部材で貼り付けられた状態で、背面カバー１３００にビス１４００により締結固定される。
【００１３】
以上、説明したとおり、ユーザーが選択ダイヤル１１００を回転操作するときには、クリックボール１３３０がクリック形状１３１３の凹凸を乗り越えることで、クリック感が付与される回転操作部材が開示されている。また、ブラシ１３５０の接片１３５１、１３５２がパターン部１３８１の上を所定の接触圧で回転摺動することで、位相を検知するように構成される回転操作部材が開示されている。
【００１４】
また、そのほかの従来例として、例えば、特許文献１では、円周方向に凹溝が形成され、凹溝に鋼球と板バネからなるクリック部材を付勢して、クリックを発生させる回転操作部材が開示されている。
【先行技術文献】
【特許文献】
【００１５】
【特許文献１】特開２０１４−２２５３８１号公報
【発明の概要】
【発明が解決しようとする課題】
【００１６】
しかしながら、図６および図７の従来技術では、組立状態で、ブラシ１３５０の付勢力によって、選択ダイヤル１１００が図７の矢印Ａ３方向へ浮き上がった状態となる。そのため、ユーザーが選択ダイヤル１１００を操作する際に、選択ダイヤル１１００の上に指を置くことで、ダイヤルベース１３１０とのスラスト方向の隙間が詰まり、選択ダイヤル１１００が沈み込む。また、指を離すと、ブラシ１３５０の付勢力によって選択ダイヤル１１００が浮き上がり、ダイヤルベース１３１０とのスラスト方向の隙間が生じる。すなわち、ユーザーが選択ダイヤル１１００を操作するたびに、スラスト方向に浮沈するため、品位がないという問題があった。
【００１７】
さらに、図６および図７の従来技術では、クリックボール１３２０とブラシ１３５０の付勢力の方向が異なるため、選択ダイヤル１１００に回転モーメントが加わり、選択ダイヤル１１００が不均一（斜めの状態）に浮き上がる。そして、ブラシ１３５０の接片１３５１、１３５２がフレキシブル基板１３８０のパターン部１３８１に不均一に接触する。すなわち、電気的な接続信頼性が低く、チャタリング（微細な機械的振動）などによる導通不良が発生し、異常動作になるという問題があった。
【００１８】
また、上述の特許文献１に開示された従来技術では、回転操作部材を押し上げる方向に付勢しているため、回転操作部材を上から押すと、ガタつきが生じ、品位がないという問題があった。
【００１９】
そこで、本発明の目的は、電気的な接続信頼性が高く、品位の高い操作感を得ることが可能な、回転操作部材を提供することである。
【課題を解決するための手段】
【００２０】
上記目的を達成するために、本発明は、
基体としての、ベース部材（１２０）と、
前記ベース部材の略中心に円形で形成される、穴部（１２１）と、
前記穴部の内周に所定の角度間隔で形成され、クリック感を発生させるための、凹凸部（１２３）と、
前記穴部に挿通し、回転可能に支持される略円柱形状の、回転操作部材（１００）と、
前記回転操作部材の一部を切り欠いて形成される、凹部（１０３）と
前記凹凸部に当接するように、前記凹部に収納されるボール部材（１３０）と、
前記凹凸部に前記ボール部材を付勢するように、前記凹部に収納される、弾性部材（１４０）と、
前記回転操作部材に取り付けられて、前記回転操作部材とともに、回転可能に支持され、前記凹部を塞ぐ、蓋部材（１５０）と、
前記蓋部材（１５０）の外周に設けられ、前記ベース部材に当接することで、前記回転操作部材を引き込む、複数の付勢部（１５１）と、
前記ベース部材と対向する側に配置された、基板（１９０）と
前記基板に設けられた、前記回転操作部材の回転位相を検知する、パターン部（１９１）と、
前記回転操作部材に取り付けられて、前記回転操作部材とともに、回転可能に支持され、前記パターン部に当接する、少なくともひとつの、接片部（１６０、１６１、１６２）とを有し、
前記複数の付勢部は、少なくとも、前記弾性部材と略対角の位置に設けられた、第１の付勢部（１５１ｄ、１５１ｉ、１５１ｊ）と、前記接片部の略近傍の位置に設けられた、第２の付勢部（１５１ａ、１５１ｃ、１５１ｅ、１５１ｈ）からなり、
前記複数の付勢部の付勢力は、前記接片部の付勢力よりも大きいことを特徴とする。
【発明の効果】
【００２１】
本発明によれば、電気的な接続信頼性が高く、品位の高い操作感を得ることが可能な、回転操作部材を提供することができる。
【図面の簡単な説明】
【００２２】
【図１】本発明に係るカメラの機能構成を示すブロック図
【図２】本発明に係るカメラの背面斜視図
【図３】本発明に係るカメラの背面カバーユニットの一部の分解斜視図
【図４】本発明に係るカメラの背面カバーユニットにおける、選択ダイヤル１００の中央横断面を模式的に示した図
【図５】本発明に係るカメラの受け板１５０における、付勢部１５１の位置を示した図
【図６】従来のカメラの背面カバーユニットの一部の分解斜視図
【図７】従来のカメラの背面カバーユニットにおける、選択ダイヤル１１００の中央横断面を模式的に示した図
【発明を実施するための形態】
【００２３】
［実施例１］
以下に、本発明の好ましい実施の形態を、添付の図面に基づいて詳細に説明する。
【００２４】
まず、図1と図２を用いてカメラの構成を説明する。図１は、本発明に係るカメラの機能構成を示すブロック図である。図２は、本発明に係るカメラの背面斜視図である。
【００２５】
図１および図２において、１０はカメラ、３０は撮影レンズで、カメラ１０前面のマウント開口部（不図示）に対し、レンズ着脱ボタン（不図示）の操作により、着脱可能になっている。カメラ１０と撮影レンズ３０はカメラ側通信Ｉ／Ｆ１７とレンズ側通信Ｉ／Ｆ３６で電気的に接続され、各種信号を通信することができる。また、カメラ１０から撮影レンズ３０への電源供給も行われる。カメラ１０のレンズ検知スイッチ１８により、カメラ１０と撮影レンズ３０が、カメラ側通信Ｉ／Ｆ１７とレンズ側通信Ｉ／Ｆ３６を介して通信可能か否かの判別を行う。
【００２６】
また、レンズ検知スイッチ１８では、カメラ１０に装着された撮影レンズ３０の種類を識別することができる。３１ａ、３１ｂはフォーカスレンズやズームレンズ等の複数のレンズによって構成されるレンズである。３２は開口量を調節するための絞り、３３はレンズ３１ａ、３１ｂを駆動し、ピント合わせやズーム駆動をするためのレンズ駆動機構、３４は絞り３２を駆動し、絞り値を制御するための絞り駆動機構、３５はレンズ３０の信号処理を行うレンズＣＰＵである。
【００２７】
１１ａは撮影レンズ３０からの撮影光束（図１の１点鎖線）の大部分を後述するペンタプリズム（２６）に反射するとともに、一部をＡＦ（オートフォーカス）のために透過させるハーフミラーからなる主ミラーで、回動可能に配置されている。１１ｂは主ミラー１１ａとともに回動可能なサブミラーであり、主ミラー１１ａを透過した撮影光束を反射して、自動焦点調節を行うＡＦセンサ２５へ導く。以下、１１ａ、１１ｂを単にミラー１１という。１４はミラー１１を駆動させるミラー駆動回路で、ミラーモータ（不図示）への通電制御により、ミラー１１を撮像光路上（図１において実線の位置）、および撮像光路から上方に退避した位置（図１において２点鎖線の位置）に回動および保持可能に構成されている。
【００２８】
１２はフォーカルプレーンシャッタからなるシャッタで、撮像素子１３を露出および遮蔽することにより撮影光束の入射制御を行う。１３は撮影レンズ３０からの撮影光束を取り込み光電変換するＣＭＯＳセンサやＣＣＤセンサからなる撮像素子で、電子シャッタ機能を有する。１５はシャッタ１２を開閉動作させるシャッタ駆動回路であり、撮像素子１３を露出させる開状態、および遮蔽する閉状態にシャッタ１２を移行および保持可能に構成されている。
【００２９】
１６はカメラ内部の温度を検出する内部温度センサである。１９はカメラ１０の設定や撮影動作を行うための複数のボタンやダイヤルからなる操作部材である。ここで、操作部材１９については、図２を参照して、後述する。２０はカメラ１０の信号処理を行うカメラＣＰＵである。２１はカメラ１０の背面に設けられ、カメラ１０の設定表示や状態表示やライブビュー表示や撮影画像表示を行う、液晶表示パネルなどからなる背面モニタである。２２はカメラ１０の電池残量を検出する電池残量検出部である。２３はカメラ１０の外気温を検出する外気温センサである。２４はカメラ体１０に着脱可能な半導体メモリーカードなどからなる、撮影画像を記録する外部メモリである。
【００３０】
２６は主ミラー１１ａによって反射された撮影光束を後述するＡＥセンサ２７およびファインダ２８に導く、ガラスなどからなるペンタプリズムである。２７は自動露出制御を行うＡＥセンサである。２８はペンタプリズム２６から導かれた撮影光束を観察するためのファインダである。２９はＣＰＵ２０からの信号を受けて、カメラ１０の設定表示や状態表示を行う、液晶表示パネルなどからなるファインダ内表示器である。操作部材１９は、以下を含む。
【００３１】
図２において、１００は撮影時や撮影画像の再生時に関わる種々の選択をするために、ユーザーが回転させて使用する選択ダイヤルである。選択ダイヤル１００の詳細な説明は後述する。
【００３２】
３００は選択ダイヤル１００の内周に配置され、上下左右方向とそれぞれの間の斜め方向に押すことで、８方向の入力が可能な方向入力ボタンである。ここで、方向入力ボタン３００は、選択ダイヤル１００と同じように、撮影時や撮影画像の再生時に関わる種々の選択をするために、使用する。３１０は方向入力ボタン３００の中央に配置され、選択した項目を決定する機能を有する、選択ボタンである。ここで、方向入力ボタン３００、選択ボタン３１０は、板バネなどにより形成された、メタルドームスイッチを用いた押しボタン式の操作部材である。このような押しボタン式の操作部材は公知の技術であるため、構造についての詳細な説明は省略する。
【００３３】
３２０は静止画ライブビューモードと動画ライブビューモードとを切り替える、ライブビュー切り替えスイッチである。ライブビュー切り替えスイッチ３２０は円周上に所定の角度だけ離れた、静止画ライブビューモードと動画ライブビューモードとの位置で回転可能な構成である。３３０はスタートストップボタンで、ライブビュー切り替えスイッチ３２０の中央に配置され、ライブビュー切り替えスイッチ３２０が静止画ライブビューモードの位置にあるときは、ユーザーが押すことで、静止画ライブビューを開始する。そして、もう一度押すことで、静止画ライブビューを終了し、通常撮影の待機状態に移行する。
【００３４】
また、ライブビュー切り替えスイッチ３２０が動画ライブビューモードの位置にあるときは、ユーザーが押すことで、動画撮影を開始し、もう一度押すことで、動画撮影を終了し、動画撮影の待機状態に移行する。
【００３５】
３４０はカメラの設定を行う設定画面に移行するための、設定ボタンである。３５０は外部メモリ２４に記録された撮影画像を再生させるための、再生ボタンである。３６０は撮影画像を消去するための、消去ボタンである。ここで、スタートストップボタン３３０、設定ボタン３４０、再生ボタン３５０、消去ボタン３６０は、いわゆるスイッチゴムを用いた押しボタン式の操作部材である。このような押しボタン式の操作部材は公知の技術であるため、構造についての詳細な説明は省略する。
【００３６】
３７０は選択ダイヤル１００の操作を有効な状態と無効な状態とに切り替える、ダイヤルロックスイッチである。ダイヤルロックスイッチ３７０は、円周上に所定の角度だけ離れた、選択ダイヤル１００の操作を有効な状態と無効な状態との位置で回転可能な構成である。
【００３７】
つぎに、図３と図４を用いて、本発明の実施形態による、選択ダイヤルの構造について説明する。
【００３８】
図３は、本発明に係るカメラの背面カバーユニットの一部の分解斜視図である。図４は、本発明に係るカメラの背面カバーユニットにおける、選択ダイヤル１００の中央横断面を模式的に示した図である。
【００３９】
図３および図４に示す従来のカメラの背面カバーユニット５０には、撮影時や撮影画像の再生時に関わる種々の選択をするために、ユーザーが回転させて使用する、樹脂などの射出成形により円形に形成された、選択ダイヤル１００が配置されている。選択ダイヤル１００は請求項に記載の、回転操作部材に相当する。背面カバーユニット５０は請求項に記載の、回転操作部材ユニットに相当する。選択ダイヤル１００は、所定の径の大きさの円柱状に形成された軸部１０１を有する。また、軸部１０１と垂直な面で、軸部１０１と連続し円周状に形成された、摺動面１０２を有する。
【００４０】
また、後述する、クリックバネ１４０およびクリックボール１３０を収納するための、収納部１０３が軸部１０１の一部を切り欠いた凹溝形状で形成されている。収納部１０３は請求項に記載の凹部に相当する。また、軸部１０１の終端には、後述する受け板１５０、ブラシ１６０、押さえ板１７０を取り付ける、取り付け部１０４を有する。
【００４１】
１１０は樹脂などの射出成形により形成された、背面カバーであり、背面カバーユニット５０を構成する複数の操作部材１９（１００、３００、３１０、３２０、３３０、３４０、３５０、３６０、３７０）などの構成部品が取り付け可能な構成になっている。ここで、背面カバー１１０は、導電性を有する樹脂などで形成され、背面カバー１１０に取り付けられる、後述するダイヤルベース１２０や取り付け板２００などの構成部品の電気的な筐体グランドとしての機能を有するように構成される。１２０は樹脂などの射出成形により形成された、ダイヤルベースで、背面カバー１１０にビス２１０により取り付けられる。
【００４２】
ダイヤルベース１２０は請求項に記載の、ベース部材に相当する。ダイヤルベース１２０の中央には、選択ダイヤル１００の軸部１０１に対応する位置に、穴部１２１が設けられ、軸部１０１が挿通される。ここで、軸部１０１の径よりも穴部１２１の径のほうがわずかに大きい。これにより、ユーザーが選択ダイヤル１００を回転操作する際に、スムーズに回転することを可能にしている。また、ダイヤルベース１２０は、選択ダイヤル１００の摺動面１０２に対応する位置に、摺動凸部１２２を有する。
【００４３】
また、ダイヤルベース１２０は、穴部１２１と同軸上の円周方向に複数の凹凸形状が形成されるクリック形状１２３を有する。クリック形状１２３は請求項に記載の、凹凸部に相当する。さらに、ダイヤルベース１２０は、穴部１２１と垂直な面で、摺動凸部１２２と対向する端に、受け面１２４を有する。また、受け面１２４の外周には、後述する受け板１５０の付勢部１５１が当接するための、当接面１２５が円周状に形成されている。
【００４４】
クリックバネ１４０はピアノ線などの弾性を有する材料で形成された、圧縮コイルバネなどで構成される。クリックバネ１４０は請求項に記載の、弾性部材に相当する。クリックボール１３０は球体形状の金属などによって形成される。クリックボール１３０は請求項に記載の、ボール部材に相当する。クリックバネ１４０とクリックボール１３０は、収納部１０３に組み込まれた状態では、クリックボール１３０がクリック形状１２３に当接し、クリックバネ１４０がクリックボール１３０をクリック形状１２３に付勢するように構成される。
【００４５】
ユーザーが選択ダイヤル１００を回転操作するときには、クリックボール１３０がクリック形状１２３の凹凸を乗り越えることで、クリック感が付与される。ここで、選択ダイヤル１００の収納部１０３は、クリックバネ１４０が選択ダイヤル１００を押す力の分力が選択ダイヤル１００を引き込む方向（図５の矢印Ａ１）に加わるように、斜めに切り欠かれていることが望ましい。たとえば、クリックバネ１４０が選択ダイヤル１００を押す力が図５の矢印Ａ２方向になるように構成される。
【００４６】
１５０は板状の金属などにより形成される、受け板である。受け板１５０は請求項に記載の、蓋部材に相当する。受け板１５０の外周には、曲げ加工などにより形成される、複数の付勢部１５１を有する。付勢部１５１は弾性を有し、ダイヤルベース１２０の当接面１２５に所定の接触圧で当接している。１６０は板状の金属などにより形成される、ブラシである。ブラシ１６０の外周には、曲げ加工などにより形成される、複数の接片１６１、１６２を有する。接片１６１、１６２は弾性を有し、後述するフレキ１９０のパターン部１９１に所定の接触圧で当接している。
【００４７】
ブラシ１６０および接片１６１、１６２は請求項に記載の、接片部に相当する。ここで、付勢部１５１の当接面１２５に対する接触圧と、接片１６１、１６２のパターン部１９１に対する接触圧の関係は、付勢部１５１の接触圧によって、選択ダイヤル１００を引き込む方向（図５の矢印Ａ１）に力が加わるような関係とすることが望ましい。たとえば、接片１６１、１６２の接触圧よりも、付勢部１５１の接触圧のほうが、わずかに大きくなるように構成される。さらに、付勢部１５１は接片１６１、１６２よりも外周に設ける。
【００４８】
１７０は板状の金属などにより形成される、押さえ板である。受け板１５０、ブラシ１６０、押さえ板１７０は、収納部１０４に蓋をするように重ねられた状態で、取り付け部１０４にビス１８０により締結固定される。これにより、ユーザーが選択ダイヤル１００を回転操作する際に、受け板１５０、ブラシ１６０、押さえ板１７０も一緒に回転するように構成される。
【００４９】
ここで、選択ダイヤル１００の取り付け部１０４には、円柱状の位置決めボス１０８が設けられている。一方、受け板１５０、ブラシ１６０、押さえ板１７０には、位置決めボス１０８に対応する位置に位置決め穴１５８、１６８、１７８が設けられており、組立時に位置決めボス１０８に挿通することで、位置が決まるように構成される。受け板１５０を取り付け部１０４に取り付ける際に、仮保持可能な構成とすることが望ましい。たとえば、位置決めボス１０８の長さを、受け板１５０が、付勢部１５１の付勢力により、取り付け部１０４から浮き上がる量よりも、長く設定する。位置決めボス１０８および位置決め穴１５８は請求項に記載の、仮保持部に相当する。
【００５０】
取り付け部１０４に取り付けられた受け板１５０、ブラシ１６０、押さえ板１７０によって、クリックバネ１４０とクリックボール１３０が収納部１０３から脱落することを防止するように構成される。
【００５１】
また、ダイヤルベース１２０は、導電性を有する樹脂により形成され、背面カバー１１０と固定されていることで、電気的に導通するように構成される。一方、受け板１５０、ブラシ１６０、押さえ板１７０は、ビス１８０で締結固定されていることで、電気的に導通するように構成される。さらに、受け板１５０の付勢部１５１が、ダイヤルベース１２０の当接面１２５に所定の接触圧で当接していることで、電気的に導通するように構成される。すなわち、ブラシ１６０と筐体グランドとしての機能を有する背面カバー１１０が電気的に導通するように構成される。
【００５２】
また、摺動面１０２と受け板１５０でダイヤルベース１２０を挟み込むように構成される。これにより、選択ダイヤル１００が回転自在に構成される。さらに、摺動面１０２と受け板１５０によって形成される空間の厚み方向（図４のＺ方向）の大きさは、ダイヤルベース１２０の厚み（摺動凸部１２２と受け面１２４によって形成される厚み）よりもわずかに大きい。これにより、ユーザーが選択ダイヤル１００を回転操作する際に、スムーズに回転することを可能にしている。
【００５３】
１９０は可撓性を有するフレキシブル基板である。フレキシブル基板１９０は請求項に記載の、基板に相当する。フレキシブル基板１９０は背面カバーユニット５０を構成する選択ダイヤル１００を含む、複数の操作部材１９が操作されたときの操作信号を電気的に検知する、パターン部１９１を含む配線パターン（不図示）を有する。パターン部１９１はグランドパターンと少なくとも１つの信号パターンを有し、ブラシ１６０の接片１６１、１６２がパターン部１９１の上を所定の接触圧で回転摺動することで、位相を検知するように構成される。
【００５４】
２００は板状の金属などにより形成される、取り付け板で、フレキシブル基板１９０が両面テープなどの接着部材で貼り付けられた状態で、背面カバー１１０にビス２１０により締結固定される。取り付け板２００は請求項に記載の、取り付け部材に相当する。２２０は防塵部材であり、フレキシブル基板１９０上に設けられ、パターン部１９１およびブラシ１６０よりも外周で、且つ、付勢部１５１よりも内周に円周状に形成されている。ここで、防塵部材２２０は、付勢部１５１と当接面１２５が回転摺動することによって、摩擦により発生する摩耗粉がパターン部１９１に付着しないように構成されることが望ましい。たとえば、樹脂などの成形品により構成されても良いし、粘着テープなどにより構成されても良い。
【００５５】
以上、説明したとおり、ユーザーが選択ダイヤル１００を回転操作するときには、クリックボール１３０がクリック形状１２３の凹凸を乗り越えることで、クリック感が付与される構成となっている。また、ブラシ１６０の接片１６１、１６２がパターン部１９１の上を所定の接触圧で回転摺動することで、位相を検知するように構成されている。
【００５６】
つぎに、図５を用いて、本発明の実施形態による、付勢部の構造について説明する。図５は、本発明に係るカメラの受け板１５０における、付勢部１５１の位置を示した図である。
【００５７】
図５（ａ）と図５（ｂ）では、付勢部１５１をそれぞれ異なる位置に設けた様子を示している。図５（ａ）において、付勢部１５１は付勢部１５１ａ、付勢部１５１ｂ、付勢部１５１ｃ、付勢部１５１ｄの４か所により構成される。付勢部１５１ａは接片１６１の略近傍に配置している。付勢部１５１ｂはクリックバネ１４０の略近傍に配置している。付勢部１５１ｃは接片１６２の略近傍に配置している。付勢部１５１ｄはクリックバネ１４０の略対角に配置している。付勢部１５１ａ、１５１ｂ、１５１ｃ、１５１ｄの当接面１２５に対する接触圧は、略均等になるように構成される。
【００５８】
以上、説明したとおり、付勢部１５１を、周方向において、略均等に配置し、接触圧も略均等になるように構成した。ここで、本実施例では、付勢部１５１を、周方向において、略均等に配置し、接触圧も、略均等なるように構成したが、均等でない配置、および接触圧の構成としても良い。たとえば、付勢部１５１ｂを設けずに、３か所に配置し、付勢部１５１ｄの接触圧を付勢部１５１ａおよび付勢部１５１ｃの接触圧よりも強くなるように構成する。
【００５９】
図５（ｂ）において、付勢部１５１は付勢部１５１ｅ、付勢部１５１ｆ、付勢部１５１ｇ、付勢部１５１ｈ、付勢部１５１ｉ、付勢部１５１ｊの６か所により構成される。付勢部１５１ｅおよび付勢部１５１ｆは接片１６１の略近傍に配置している。付勢部１５１ｇおよび付勢部１５１ｈは接片１６２の略近傍に配置している。付勢部１５１ｉおよび付勢部１５１ｊはクリックバネ１４０の略対角に配置している。付勢部１５１ｅ、１５１ｆ、１５１ｇ、１５１ｈ、１５１ｉ、１５１ｊの当接面１２５に対する接触圧は、略均等になるように構成される。
【００６０】
以上、説明したとおり、付勢部１５１を接片１６１、１６２の略近傍と、クリックバネ１４０の対角に各２か所ずつ配置した。さらに、接片１６１、１６２の略近傍と、クリックバネ１４０の対角に配置した付勢部１５１の接触圧を略均等になるように構成した。ここで、本実施例では、接片１６１、１６２の略近傍と、クリックバネ１４０の対角に配置した付勢部１５１の接触圧を略均等になるように構成したが、均等でない接触圧の構成としても良い。
【００６１】
たとえば、付勢部１５１ｆおよび付勢部１５１ｇを設けずに、付勢部１５１ｅ、１５１ｈ、１５１ｉ、１５１ｊの当接面１２５に対する接触圧を、略均等になるように構成する。これにより、付勢部１５１ｅおよび付勢部１５１ｈの接触圧よりも、付勢部１５１ｉと付勢部１５１ｊとを合わせた接触圧が強くなるように構成する。付勢部１５１ｄ、１５１ｉ、１５１ｊは請求項に記載の、第１の付勢部に相当する。付勢部１５１ａ、１５１ｃ、１５１ｅ、１５１ｈは請求項に記載の、第２の付勢部に相当する。
【００６２】
以上、説明したとおり、選択ダイヤル１００に取り付けられる、受け板１５０の外周に、ダイヤルベース１２０の当接面１２５に所定の接触圧で当接することで、選択ダイヤル１００を引き込む機能を有する、付勢部１５１を設けた。さらに、選択ダイヤル１００に取り付けられる、ブラシ１６０の外周に、フレキ１９０のパターン部１９１に所定の接触圧で当接し、回転摺動することで、位相を検知する機能を有する、接片１６１、１６２を設けた。さらに、接片１６１、１６２の接触圧よりも、付勢部１５１の接触圧のほうが、わずかに大きくなるように構成した。
【００６３】
さらに、付勢部１５１は接片１６１、１６２よりも外周に設けた。さらに、選択ダイヤル１００の収納部１０３は、クリックバネ１４０が選択ダイヤル１００を押す力の分力が選択ダイヤル１００を引き込む方向に加わるように、斜めに切り欠く構成とした。すなわち、選択ダイヤル１００を引き込み、且つ、フレキシブル基板１９０に接片１６１、１６２を押し付けるように構成した。これにより、ユーザーが選択ダイヤル１００を回転操作する際に、選択ダイヤル１００が浮沈することなく、回転操作が可能となり、回転操作部材としての品位が高い。さらに、フレキシブル基板１９０に接片１６１、１６２が均一に接触するため、電気的な接続信頼性が高い。
【００６４】
また、背面カバー１１０および、ダイヤルベース１２０を導電性を有する材料で形成し、ブラシ１６０と筐体グランドとしての機能を有する背面カバー１１０を電気的に導通するように構成した。これにより、安定したグランド性能が得られるため、ブラシ１６０の接片１６１、１６２がパターン部１９１の上を所定の接触圧で回転摺動する際の、位相を検知する信号が安定する。
【００６５】
また、付勢部１５１と当接面１２５が回転摺動することによって、摩擦により発生する摩耗粉がパターン部１９１に付着しないような機能を有する防塵部材２２０を設けた。さらに、防塵部材２２０は、フレキシブル基板１９０上に設けられ、パターン部１９１およびブラシ１６０よりも外周で、且つ、付勢部１５１よりも内周に円周状に形成した。これにより、ユーザーが選択ダイヤル１００を繰り返し回転操作する際においても、電気的な接続信頼性が高い状態を維持できる。
【００６６】
また、受け板１５０を取り付け部１０４に取り付ける際に、位置決めボス１０８の長さを、受け板１５０が、付勢部１５１の付勢力により、取り付け部１０４から浮き上がる量よりも、長く設定することで、仮保持可能な構成とした。これにより、組立性が良い。
【００６７】
また、付勢部１５１を、周方向において、略均等に配置し、接触圧も略均等になるように構成した。すなわち、均一に選択ダイヤル１００を引き込み、且つ、フレキシブル基板１９０に接片１６１、１６２を押し付けるように構成した。これにより、ユーザーが選択ダイヤル１００を回転操作する際に、選択ダイヤル１００が浮沈することなく、回転操作が可能となり、回転操作部材としての品位が高い。さらに、フレキシブル基板１９０に接片１６１、１６２が均一に接触するため、電気的な接続信頼性が高い。
【００６８】
また、クリックバネ１４０の対角と、接片１６１、１６２の略近傍に、付勢部１５１を設けた。さらに、クリックバネ１４０の対角に設けた、付勢部１５１の接触圧を、接片１６１、１６２の略近傍に設けた、付勢部１５１の接触圧よりも強くなるように構成した。すなわち、選択ダイヤル１００を浮き上がらせる構成部材の力をキャンセルする箇所に、付勢部１５１を設け、選択ダイヤル１００を引き込み、且つ、フレキシブル基板１９０に接片１６１、１６２を押し付けるように構成した。これにより、ユーザーが選択ダイヤル１００を回転操作する際に、選択ダイヤル１００が浮沈することなく、回転操作が可能となり、回転操作部材としての品位が高い。さらに、フレキシブル基板１９０に接片１６１、１６２が均一に接触するため、電気的な接続信頼性が高い。
【００６９】
以上、本発明の好ましい実施形態について説明したが、本発明はこれらの実施形態に限定されず、その要旨の範囲内で種々の変形及び変更が可能である。
【符号の説明】
【００７０】
１０  カメラ
１９  操作部材
５０  背面カバーユニット
１００  選択ダイヤル
１０１  軸部
１０２  摺動面
１０３  収納部
１０４  取り付け部
１０８  位置決めボス
１１０  背面カバー
１２０  ダイヤルベース
１２１  穴部
１２２  摺動凸部
１２３  クリック形状
１２４  受け面
１２５  当接面
１３０  クリックボール
１４０  クリックバネ
１５０  受け板
１５１  付勢部
１５８  位置決め穴
１６０  ブラシ
１６１、１６２  接片
１７０  押さえ板
１９０  フレキシブル基板
１９１  パターン部
２００  取り付け板
２２０  防塵部材
【図１】
2019192559.tif 000003
【図２】
2019192559.tif 000004
【図３】
2019192559.tif 000005
【図４】
2019192559.tif 000006
【図５】
2019192559.tif 000007
【図６】
2019192559.tif 000008
【図７】
2019192559.tif 000009